(57)【要約】【課題】色ムラが生じることなく、あらゆる爪に対して一回で均一に爪化粧料を塗布できるネイルアート用ブラシを提供する。【解決手段】ネイルアート用ブラシ１は、柄部１０と、柄部１０の一端に装着されているブラシ部１１とを備えるネイルアート用ブラシ１であって、ブラシ部１１は、長い毛束１１aと、長い毛束１１aより長さが短く幅が広い短い毛束１１ｂとを含み、長い毛束１１aの中央部と短い毛束１１ｂの中央部とは柄部１０の軸心を通る同一平面上に位置し、短い毛束１１ｂは、長い毛束側に湾曲し、又は中央部において長い毛束側に屈曲し、長い毛束１１aの長さは、８〜２２ｍｍであり、かつ短い毛束１１ｂの長さより１〜８ｍｍ長く、長い毛束１１aの幅Ｗ１は１〜１０ｍｍであり、短い毛束１１ｂの幅Ｗ２は６〜２２ｍｍである。【選択図】図１
2018201801.tif 000002
【特許請求の範囲】
【請求項１】
柄部と、
前記柄部の一端に装着されているブラシ部とを備えるネイルアート用ブラシであって、
前記ブラシ部は、長い毛束と、長い毛束より長さが短く幅が広い短い毛束とを含み、
前記長い毛束の中央部と前記短い毛束の中央部とは前記柄部の軸心を通る同一平面上に位置し、
前記短い毛束は、前記長い毛束側に湾曲し、又は中央部において前記長い毛束側に屈曲し、
前記長い毛束の長さは、８〜２２ｍｍであり、かつ前記短い毛束の長さより１〜８ｍｍ長く、
前記長い毛束の幅Ｗ１は１〜１０ｍｍであり、前記短い毛束の幅Ｗ２は６〜２２ｍｍである
ネイルアート用ブラシ。
【請求項２】
前記長い毛束と前記短い手束が接触しておらず、かつ前記長い毛束の中央部と前記短い毛束の中央部との根元における間隔Ｄが０．５〜８ｍｍである
請求項１に記載のネイルアート用ブラシ。
【請求項３】
前記短い毛束が複数に分かれていることを特徴とする請求項１または２に記載のネイルアート用ブラシ。
【請求項４】
前記柄部が、前記短い毛束の中央部と前記柄部の軸心を通る平面に対して略対称である２つの凹部を有し、
当該凹部は、前記長い毛束より前記短い毛束の近くに位置する請求項１〜３のいずれか１項に記載のネイルアート用ブラシ。
【請求項５】
請求項１〜４のいずれか１項に記載のネイルアート用ブラシと、
前記ネイルアート用ブラシが取り付けられた蓋と、
前記蓋が上方首部に着脱自在に装着される容器本体とを備えるネイルアート容器。
【請求項６】
ネイルアート容器であって、
前記柄部に１つ以上のリング状の弾性部材が装着されている請求項１〜４のいずれか１項に記載のネイルアート用ブラシと、
上方首部に前記リング状の弾性部材の直径より小さい直径の開口部を有する容器本体とを備えるネイルアート容器。
【請求項７】
前記容器本体が仕切部により仕切られた複数の収容部を有し、前記複数の収容部がそれぞれ上方首部に開口部を有する請求項５または６に記載のネイルアート容器。
【請求項８】
請求項５または６記載のネイルアート容器を複数組み合わせて一体としたネイルアート容器セット。
【請求項９】
請求項１〜４のいずれか１項に記載のネイルアート用ブラシを用いて、爪に爪化粧料を塗布する工程を含む爪化粧料の塗布方法であって、
長い毛束を爪の根元に当て、長い毛束だけで爪全体を一回で塗布できるか否かを確認するステップと、
幅が狭く長い毛束だけで全体を一回で塗布できる爪については長い毛束で塗布し、幅が広く長い毛束だけでは全体を一回で塗布できない爪については、柄部を爪の表面と垂直方向に立てることにより、長い毛束を上方から覆うようにして短い毛束を爪の根元に接触させて塗布するステップを
含む爪化粧料の塗布方法。
【発明の詳細な説明】
【技術分野】
【０００１】
本発明は、ネイルアート用ブラシ、ネイルアート容器、及び、爪化粧料の塗布方法に関するものである。
【背景技術】
【０００２】
従来、ネイルアートの分野では、爪の幅より狭いネイルアート用ブラシを用いて、数回に分けて爪化粧料を塗布していた。しかしながら、この場合、重ね塗りされる部分があり、その部分について色ムラが生じるという欠点があった。
【０００３】
この点を改良し、一回で塗布できるネイルアート用ブラシとして、ブラシの幅を爪の幅に合わせたものが提案されている（特許文献１）。
【先行技術文献】
【特許文献】
【０００４】
【特許文献１】特開平９−２５２８３６号公報
【発明の概要】
【発明が解決しようとする課題】
【０００５】
しかしながら、特許文献１に開示されたネイルアート用ブラシでは、爪の幅に合わせたブラシを数多く揃える必要があり、また、指先から見た場合の爪の形は、ほとんどが中央部が盛り上がった略円弧状になっているが、当該ネイルアート用ブラシに係る筆部の根元部から筆先部の断面は、楕円形になっているため、爪の形に合っておらず、爪化粧料を爪に均一に塗布できないという問題があった。
【０００６】
そこで、本発明の目的は、色ムラが生じることなく、あらゆる爪に対して一回で均一に爪化粧料を塗布できるネイルアート用ブラシを提供することにある。
【課題を解決するための手段】
【０００７】
本発明者は、鋭意検討を重ねた結果、柄部の一端に長い毛束と短い毛束とを含むブラシ部を設け、短い毛束を長い毛束より幅が広いものにし、短い毛束を長い毛束側に湾曲させ又は中央部において長い毛束側に屈曲させたネイルアート用ブラシを使用すると、色ムラが生じることなく、あらゆる爪に対して一回で均一に爪化粧料を塗布できることを見出した。
【０００８】
すなわち、本発明は、柄部と、前記柄部の一端に装着されているブラシ部とを備えるネイルアート用ブラシであって、前記ブラシ部は、長い毛束と、長い毛束より長さが短く幅が広い短い毛束とを含み、前記長い毛束の中央部と前記短い毛束の中央部とは前記柄部の軸心を通る同一平面上に位置し、前記短い毛束は、前記長い毛束側に湾曲、又は中央部において前記長い毛束側に屈曲し、前記長い毛束の長さは、８〜２２ｍｍであり、かつ前記短い毛束の長さより１〜８ｍｍ長く、前記長い毛束の毛先の幅Ｗ１は１〜１０ｍｍであり、前記短い毛束の毛先の幅Ｗ２は６〜２２ｍｍであるネイルアート用ブラシを提供する。
【発明の効果】
【０００９】
本発明のネイルアート用ブラシは、色ムラが生じることなく、あらゆる爪に対して一回で均一に爪化粧料を塗布できる。
【図面の簡単な説明】
【００１０】
【図１】本発明のネイルアート用ブラシに係る第一の実施形態の正面図。
【図２】本発明のネイルアート用ブラシに係る第一の実施形態の側面図。
【図３】（ａ）本発明のネイルアート用ブラシを使用して幅の狭い爪に塗布する過程を示す斜視図。（ｂ）本発明のネイルアート用ブラシを使用して幅の広い爪に塗布する過程を示す斜視図。（ｃ）本発明のネイルアート用ブラシを使用して幅の広い爪に塗布する過程を示す側面図。
【図４】本発明のネイルアート用ブラシに係る第二の実施形態の側面図。
【図５】本発明のネイルアート用ブラシに係る第二の実施形態の毛先側から見た平面図。
【図６】本発明のネイルアート用ブラシに係る第三の実施形態の正面図。
【図７】本発明のネイルアート用ブラシに係る第三の実施形態の毛先側から見た平面図。
【図８】本発明のネイルアート用ブラシに係る第四の実施形態の正面図。
【図９】本発明のネイルアート用ブラシに係る第四の実施形態の側面図。
【図１０】本発明のネイルアート容器に係る第一の実施形態の斜視図。
【図１１】本発明のネイルアート容器に係る第二の実施形態の斜視図。
【図１２】本発明のネイルアート容器に係る第三の実施形態の斜視図。
【図１３】（ａ）本発明のネイルアート容器に係る他の実施形態に係る斜視図。（ｂ）本発明のネイルアート容器に係る他の実施形態を用いたネイルアート容器セットの一実施形態の平面図。
【発明を実施するための形態】
【００１１】
以下、本発明の実施の形態について図に基づいて説明する。
【００１２】
図１は、本発明の第一の実施形態に係るネイルアート用ブラシ１の構成を示す正面図であり、図２は側面図である。本実施形態に係るネイルアート用ブラシ１は、図１に示すように、柄部１０と、柄部１０の一端に装着されているブラシ部１１とを主に備え、ブラシ部１１は、長い毛束１１ａと、短い毛束１１ｂとを備えている。柄部に長い毛束１１aと短い毛束１１ｂを装着する手段としては、特に限定されないが、例えば、接着固定してもよいし、口金部を設けて装着してもよい。
【００１３】
柄部１０の材質としては、例えば、木材、樹脂材料、金属などが挙げられる。柄部１０の形状としては、特に限定されないが、例えば、円柱棒状などが挙げられる。
【００１４】
ブラシ部１１は、長い毛束１１ａと長い毛束１１ａより長さが短く幅が広い短い毛束１１ｂとから構成されている。ブラシ部１１において、長い毛束の中央部と前記短い毛束の中央部とは柄部１０の軸心を通る同一平面上に位置している。長い毛束１１ａと短い毛束１１ｂに用いられる毛は、特に限定されないが、例えば、天然繊維、合成繊維などが挙げられる。天然繊維としては、例えば、動物繊維、植物繊維などが挙げられる。動物繊維としては、特に限定されないが、例えば、馬毛、豚毛、山羊毛、灰リス毛などが挙げられる。植物繊維としては、特に限定されないが、例えば、パームなどが挙げられる。合成繊維としては、特に限定されないが、例えば、ナイロン、ポリエステルなどが挙げられる。
【００１５】
長い毛束１１ａは、毛先が略円弧状に形成されていると、爪の根元に毛先をより確実に合わせることができるため、さらに好ましい。特に、老人やネイルアートに慣れていない男性にとって扱いやすい。
【００１６】
短い毛束１１ｂは、長い毛束側に湾曲、又は中央部において長い毛束側に屈曲している。そのため、幅の広いあらゆる爪の形状に合わせて塗布することができる。また、塗布時に長い毛束が短い毛束の幅より広がらないよう、短い毛束の両端が長い毛束を覆うように、短い毛束を湾曲又は屈曲させると、さらに好ましい。
【００１７】
長い毛束１１ａの長さは、８〜２２ｍｍであり、１０〜２０ｍｍが好ましい。また、長い毛束１１ａと短い毛束１１ｂとの長さの差は、１〜８ｍｍであり、３〜６ｍｍが好ましい。これらの長さの場合、塗布するのに爪化粧料が適当な量となり、また、塗布作業を行いやすい。
【００１８】
長い毛束１１ａの毛先の幅Ｗ１は、１〜１０ｍｍであり、２〜８ｍｍが好ましい。短い毛束１１ｂの毛先の幅Ｗ２は、６〜２２ｍｍであり、８〜２０ｍｍが好ましい。これらの幅の場合、老若男女を問わず、手足のあらゆる爪に爪化粧料を一回で塗布することができる。
【００１９】
幅の狭い爪１０１に爪化粧料を塗布するときは、図３（ａ）のように、長い毛束１１ａのみでも一回で塗布できることが多く、その場合には短い毛束１１ｂが爪に触れることなく、爪化粧料が塗布される。
【００２０】
一方、幅の広い爪１０２に爪化粧料を塗布する場合において、長い毛束１１ａの毛先を爪の根元に当てたときに長い毛束１１ａの幅よりも爪の幅が広く一回で塗布できない場合は、長い毛束１１ａを爪の根元に押し当てつつ柄部を爪に対し略垂直方向に立てることにより、図３（ｂ）及び（ｃ）に示すように、短い毛束１１ｂが長い毛束１１ａの上から被さるようにして爪の根元に当たる。このとき、爪を上方向から見て長い毛束１１ａが短い毛束１１ｂに隠れた状態になる。そして、短い毛束１１ｂの幅が爪の幅に合うまで柄部を爪に押し当てた状態で、ネイルアート用ブラシ１を爪の先端に向かって移動させる。この動作により、幅の広い爪１０２でも、爪化粧料を一回で塗布することができる。また、例えば、老人や、ネイルアートの経験が少ない男性でも容易に塗布することができる。
【００２１】
図４は、本発明の第二の実施形態に係るネイルアート用ブラシ２の構成を示す側面図であり、図５は毛先側から見た平面図である。図５に示すように、長い毛束１１ａと短い毛束１１ｂとは接触していない。長い毛束１１ａの中央部と短い毛束１１ｂの中央部との根元における間隔Ｄは、０．５〜８ｍｍが好ましく、１〜６ｍｍがより好ましい。これにより、短い毛束に付着してる爪化粧料が長い毛束に大量に移動することを防止でき、幅の狭い爪に長い毛束のみで塗布する場合においても、適量な爪化粧料を塗布することができる。
【００２２】
図６は、本発明の第三の実施形態に係るネイルアート用ブラシ２の構成を示す正面図であり、図７は平面図である。本実施形態に係るネイルアート用ブラシ２は、ブラシ部２１が、長い毛束２１ａと短い毛束２１ｂが接触していない状態で柄部に装着されており、短い毛束２１ｂが複数に分かれている。
【００２３】
短い毛束２１ｂを複数に分かれた構成にすることにより、短い毛束２１ｂの各部分に爪化粧料が付着するため、短い毛束２１ｂ全体に付着する爪化粧料の量が少なくなり、使用する爪化粧料の量を抑えることができる。なお、図６及び７では短い毛束２１ｂが２つに分かれた実施形態を示したが、これに限定されず、３つ以上に分かれていてもよい。
【００２４】
図８は、本発明の第四の実施形態に係るネイルアート用ブラシ３の構成を示す正面図であり、図９は側面図である。本実施形態に係るネイルアート用ブラシ３は、柄部３０に、前記短い毛束３１ｂの中央部と柄部３０の軸心を通る平面に対して略対称である２つの凹部３２を有している。当該凹部３２は、長い毛束３１ａより短い毛束３１ｂに近い位置に設けられている。
【００２５】
このような構成にすることにより、例えば、視覚障害者であっても、凹部３２に人差し指と親指を当てて把持することにより、長い毛束３１aおよび短い毛束３１ｂの位置を知ることができ、自分でネイルアートを楽しむことができる。また、凹部を他の把持部材に設け、当該把持部材を柄部に取り付けて使用してもよい。
【００２６】
図１０は、本発明の実施形態に係るネイルアート用ブラシを含むネイルアート容器の第一の実施形態の構成を示す斜視図である。本実施形態に係るネイルアート容器５０は、ネイルアート用ブラシ５が取り付けられた蓋５２と、首部５３に開口部５４が設けられた容器本体５５とを有しており、首部５３の外周面には雄ねじ５５ａが設けられている。
【００２７】
蓋５２は、内部に本発明に係るネイルアート用ブラシ５が取り付けられていて、蓋５２の内面には、容器本体５５の雄ねじ５５ａと螺合する雌ねじ５２ａが設けられている。雄ねじ５５ａと雌ねじ５２ａにより、蓋５２は容器本体５５に着脱自在に装着される。蓋５２の形状としては、例えば、略円筒形状、多角柱形状などが挙げられる。また、長い毛束と短い毛束の向きがわかるように、蓋５２の外周面に凹部や凸部を設けてもよい。
【００２８】
容器本体５５の底部５７は、平面状であってもよいが、図１０に示すような略逆円錐形となっていてもよい。略逆円錐形となっている場合、蓋５２が装着されたときに、ネイルアート用ブラシ５の先端が最底部５７ａに接触する。そのため、爪化粧料を使い切ることができる。容器本体５５には、爪化粧料５６が収容することができる。
【００２９】
図１１は、本発明の実施形態に係るネイルアート用ブラシ６を含むネイルアート容器の第二の実施形態の構成を示す斜視図である。本実施形態に係るネイルアート容器６０は、柄部６２にリング状の弾性部材６２ａが装着されたネイルアート用ブラシ６と、首部６３に開口部６４が設けられた容器本体６５とを有している。
【００３０】
リング状の弾性部材６２ａは、特に限定されないが、例えば、ゴム、エラストマー、発泡樹脂などが挙げられる。なお、図１０で示す実施形態では、弾性部材６２ａが３つ装着されているが、柄部に装着される弾性部材の数は特に限定されず、１つであってもよいし複数であってもよい。
【００３１】
容器本体６５の上方の首部６３に設けられた開口部６４の直径は、リング状の弾性部材６２ａの直径より小さい。ネイルアート用ブラシ６を容器本体６５に装着するとき、開口部６４にネイルアート用ブラシ６を回転させながら捻じ込むと、弾性部材６２ａにより開口部を密閉できる。爪化粧料を塗布するときは、ネイルアート用ブラシ６を装着時と逆の向きに回転させながら上方に引っ張ると、容易に取り外すことができる。
【００３２】
第二の実施形態では、首部が１つのネイルアート容器を示したが、第三の実施形態として、図１２に示すように、仕切部７８で仕切られた複数の収容部７９を設け、それぞれに開口部７４を有する首部７３を設けることもできる。この場合、さまざまな色の爪化粧料を収容することができ、商品として鮮やかに見える。また、爪化粧料は容器に入った状態で見える色と、実際に塗布したときの色では、色合いが異なることが多いことから、同色系の爪化粧料を複数の収容部７９に収容することにより、使用者が、塗布してみて自分好みの色を見出すこともできる。なお、容器上面における首部の位置や角度を適宜調整し、ネイルアート用ブラシの先端が底部の隅に接触するようにした場合、爪化粧料を使い切ることができる。
【００３３】
図１３（ａ）及び（ｂ）は、本発明の実施形態に係るネイルアート用ブラシ８を含むネイルアート容器の第四の実施形態の構成を示す図である。この実施形態においては、（ａ）に示すネイルアート容器８０を複数組み合わせて、（ｂ）に示すように、一つのネイルアート容器セット８５を形成している。すなわち、爪化粧料の色や種類ごとにネイルアート容器８０を容易に分離できるようになっている。通常、ネイルアートを行うには、ネイルカラー以外にもネイルオイル、ベースコート、トップコートなどいくつかの種類の爪化粧料が必要となり、別々のネイルアート容器を用意しなければならず、不便であった。本実施形態においては、ネイルアート容器の容器サイズを小さくした上で、１つのネイルアート容器セットを形成させることにより、コンパクトで持ち運びに便利なネイルアート容器セットを提供できる。また、使用者が自分の好みのネイルカラーが収容されたネイルアート容器８０を自由に組み合わせることができる。さらに、ネイルアートにおいては、容器で見た色と、実際に塗布したときの色が異なることが多く、使用者が途中で使用をやめる可能性が高いため、ネイルカラーがほとんど未使用のまま残ってしまうことが多かった。本実施形態においては、ネイルアート容器８０の容量を少なくできるため、例え、使用者が途中で使用をやめた場合でも、残ったネイルカラーの量が少なくて済むことから経済的である。
【００３４】
ネイルアート容器８０を結合させてネイルアート容器セット８５とする結合手段としては、特に限定されないが、例えば、ネイルアート容器セット８５の形状に応じた受け皿やケース部材に収納したり、ネイルアート容器８０に係脱自在の係合部を設けることが考えられる。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３６】
１、２、３、５、６    ネイルアート用ブラシ
１０、２０、３０、６２    柄部
１１、２１、３１    ブラシ部
１１ａ、２１ａ、３１ａ    長い毛束
１１ｂ、２１ｂ、３１ｂ    短い毛束
５０、６０、７０、８０    ネイルアート用容器
５２  蓋
５３、６３、７３    首部
５４、６４、７４    開口部
５５、６５、７５    容器本体
O  軸心
【図１】
2018201801.tif 000003
【図２】
2018201801.tif 000004
【図３】
2018201801.tif 000005
【図４】
2018201801.tif 000006
【図５】
2018201801.tif 000007
【図６】
2018201801.tif 000008
【図７】
2018201801.tif 000009
【図８】
2018201801.tif 000010
【図９】
2018201801.tif 000011
【図１０】
2018201801.tif 000012
【図１１】
2018201801.tif 000013
【図１２】
2018201801.tif 000014
【図１３】
2018201801.tif 000015
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
柄部と、
前記柄部の一端に装着されているブラシ部とを備えるネイルアート用ブラシであって、
前記ブラシ部は、長い毛束と、長い毛束より長さが短く幅が広い短い毛束とを含み、
前記長い毛束の中央部と前記短い毛束の中央部とは前記柄部の軸心を通る同一平面上に位置し、
前記短い毛束は、前記長い毛束側に湾曲し、又は中央部において前記長い毛束側に屈曲し、
前記長い毛束の長さは、８〜２２ｍｍであり、かつ前記短い毛束の長さより１〜８ｍｍ長く、
前記長い毛束の幅Ｗ１は１〜１０ｍｍであり、前記短い毛束の幅Ｗ２は６〜２２ｍｍであり、
前記長い毛束と前記短い手束が接触しておらず、かつ前記長い毛束の中央部と前記短い毛束の中央部との根元における間隔Ｄが０．５〜８ｍｍである
ネイルアート用ブラシ。
【請求項２】
柄部と、
前記柄部の一端に装着されているブラシ部とを備えるネイルアート用ブラシであって、
前記ブラシ部は、長い毛束と、長い毛束より長さが短く幅が広い短い毛束とを含み、
前記長い毛束の中央部と前記短い毛束の中央部とは前記柄部の軸心を通る同一平面上に位置し、
前記短い毛束は、前記長い毛束側に湾曲し、又は中央部において前記長い毛束側に屈曲し、
前記長い毛束の長さは、８〜２２ｍｍであり、かつ前記短い毛束の長さより１〜８ｍｍ長く、
前記長い毛束の幅Ｗ１は１〜１０ｍｍであり、前記短い毛束の幅Ｗ２は６〜２２ｍｍであり、かつ、
前記短い毛束が複数に分かれていることを特徴とするネイルアート用ブラシ。
【請求項３】
柄部と、
前記柄部の一端に装着されているブラシ部とを備えるネイルアート用ブラシであって、
前記ブラシ部は、長い毛束と、長い毛束より長さが短く幅が広い短い毛束とを含み、
前記長い毛束の中央部と前記短い毛束の中央部とは前記柄部の軸心を通る同一平面上に位置し、
前記短い毛束は、前記長い毛束側に湾曲し、又は中央部において前記長い毛束側に屈曲し、
前記長い毛束の長さは、８〜２２ｍｍであり、かつ前記短い毛束の長さより１〜８ｍｍ長く、
前記長い毛束の幅Ｗ１は１〜１０ｍｍであり、前記短い毛束の幅Ｗ２は６〜２２ｍｍであり、
前記長い毛束と前記短い手束が接触しておらず、かつ前記長い毛束の中央部と前記短い毛束の中央部との根元における間隔Ｄが０．５〜８ｍｍであり、かつ、
前記短い毛束が複数に分かれていることを特徴とするネイルアート用ブラシ。
【請求項４】
前記柄部が、前記短い毛束の中央部と前記柄部の軸心を通る平面に対して略対称である２つの凹部を有し、
当該凹部は、前記長い毛束より前記短い毛束の近くに位置する請求項１〜３のいずれか１項に記載のネイルアート用ブラシ。
【請求項５】
請求項１〜４のいずれか１項に記載のネイルアート用ブラシと、
前記ネイルアート用ブラシが取り付けられた蓋と、
前記蓋が上方首部に着脱自在に装着される容器本体とを備えるネイルアート容器。
【請求項６】
ネイルアート容器であって、
前記柄部に１つ以上のリング状の弾性部材が装着されている請求項１〜４のいずれか１項に記載のネイルアート用ブラシと、
上方首部に前記リング状の弾性部材の直径より小さい直径の開口部を有する容器本体とを備えるネイルアート容器。
【請求項７】
前記容器本体が仕切部により仕切られた複数の収容部を有し、前記複数の収容部がそれぞれ上方首部に開口部を有する請求項５または６に記載のネイルアート容器。
【請求項８】
請求項５または６記載のネイルアート容器を複数組み合わせて一体としたネイルアート容器セット。
【請求項９】
請求項１〜４のいずれか１項に記載のネイルアート用ブラシを用いて、爪に爪化粧料を塗布する工程を含む爪化粧料の塗布方法であって、
長い毛束を爪の根元に当て、長い毛束だけで爪全体を一回で塗布できるか否かを確認するステップと、
幅が狭く長い毛束だけで全体を一回で塗布できる爪については長い毛束で塗布し、幅が広く長い毛束だけでは全体を一回で塗布できない爪については、柄部を爪の表面と垂直方向に立てることにより、長い毛束を上方から覆うようにして短い毛束を爪の根元に接触させて塗布するステップを
含む爪化粧料の塗布方法。